(57)【特許請求の範囲】
【請求項１】
電子書籍機能を有する携帯用端末機における電子書籍のページめくり方法であって、
電子書籍機能を実行するステップと、
前記電子書籍の所定の左ＵＩ作動領域でユーザ操作によりタッチダウン入力されると、前記電子書籍の左側面を表示するステップと、
前記タッチダウン入力された状態で、前記電子書籍の所定の右ＵＩ作動領域でタッチダウン入力され、該右ＵＩ作動領域でタッチダウン入力された状態から左方向へドラッグ及びタッチアップ入力されると、すぐ次のページ又は増加ページ数に対応した次のページを表示するステップと、
前記左ＵＩ作動領域でタッチダウン入力された状態から右方向へドラッグ及びタッチアップ入力されると、すぐ次のページ又は増加ページ数に対応した次のページの表示をキャンセルするステップと、を有することを特徴とする電子書籍ページめくり方法。
【請求項２】
前記左ＵＩ作動領域でタッチダウン入力された状態で、該左ＵＩ作動領域で他のタッチダウン入力がなされ、該他のタッチダウン入力がその状態から右方向へドラッグ及びタッチアップ入力されると、すぐ次のページ又は増加ページ数に対応した次のページの表示をキャンセルするステップを更に含むことを特徴とする請求項１に記載の電子書籍ページめくり方法。
【請求項３】
加速度センサーを用いて前記携帯用端末機の左側面から基準値以上の加速度値が検出されるか、又は３軸センサーを用いて右方向に基準値以上の傾き値が検出されると、すぐ次のページ又は増加ページ数に対応した次のページの表示をキャンセルするステップを更に含むことを特徴とする請求項１に記載の電子書籍ページめくり方法。
【請求項４】
前記左ＵＩ作動領域でタッチダウン入力された状態からタッチアップ入力されると、前記電子書籍の左側面の表示を消去して、すぐ次のページ又は増加ページ数に対応した次のページの表示を固定するステップを更に含むことを特徴とすることを特徴とする請求項１に記載の電子書籍ページめくり方法。
【請求項５】
前記電子書籍の所定の右ＵＩ作動領域でユーザ操作によりタッチダウン入力されると、前記電子書籍の右側面を表示するステップと、
前記電子書籍の所定の左ＵＩ作動領域でタッチダウン入力され、該左ＵＩ作動領域でタッチダウン入力された状態から右方向へドラッグ及びタッチアップ入力されると、すぐ前のページ又は減少ページ数に対応した前のページを表示するステップと、
前記右ＵＩ作動領域でタッチダウン入力された状態から左方向へドラック及びタッチアップ入力されると、すぐ前のページ又は減少ページ数に対応した前のページの表示をキャンセルするステップと、を更に含むことを特徴とする請求項１に記載の電子書籍ページめくり方法。
【請求項６】
前記右ＵＩ作動領域でタッチダウン入力された状態で、該右ＵＩ作動領域で他のタッチダウン入力がなされ、該他のタッチダウン入力がその状態から左方向へドラック及びタッチアップ入力されると、すぐ前のページ又は減少ページ数に対応した前のページの表示をキャンセルするステップを更に含むことを特徴とする請求項５に記載の電子書籍ページめくり方法。
【請求項７】
加速度センサーを用いて前記携帯用端末機の右側面から基準値以上の加速度値が検出されるか、又は３軸センサーを用いて左方向に基準値以上の傾き値が検出されると、すぐ前のページ又は減少ページ数に対応した前のページの表示をキャンセルするステップを更に含むことを特徴とする請求項５に記載の電子書籍ページめくり方法。
【請求項８】
前記右ＵＩ作動領域でタッチダウン入力された状態からタッチアップ入力されると、前記電子書籍の右側面の表示を消去して、すぐ前のページ又は減少ページ数に対応した前のページの表示を固定するステップを更に含むことを特徴とする請求項５に記載の電子書籍ページめくり方法。
【請求項９】
電子書籍機能を有する携帯用端末機における電子書籍のページめくり装置であって、
電子書籍ビューアと、
前記電子書籍ビューアの制御によって電子書籍の該当ページを画面に表示する表示部と、を備え、
前記電子書籍ビューアは、
電子書籍機能を実行し、
前記電子書籍の所定の左ＵＩ作動領域でユーザ操作によりタッチダウン入力されると、前記表示部を制御して前記電子書籍の左側面を表示し、
前記タッチダウンが入力された状態で、前記電子書籍の所定の右ＵＩ作動領域でタッチダウン入力され、該右ＵＩ作動領域でタッチダウン入力された状態から左方向へドラック及びタッチアップ入力されると、前記表示部を制御してすぐ次のページ又は増加ページ数に対応した次のページを表示し、
前記左ＵＩ作動領域でタッチダウン入力された状態から右方向へドラッグ及びタッチアップ入力されると、前記表示部を制御してすぐ次のページ又は増加ページ数に対応した次のページの表示をキャンセルすることを特徴とする電子書籍ページめくり装置。
【請求項１０】
前記電子書籍ビューアは、
前記左ＵＩ作動領域でタッチダウン入力された状態で、該左ＵＩ作動領域で他のタッチダウン入力がなされ、該他のタッチダウン入力がその状態から右方向へドラッグ及びタッチアップ入力されると、前記表示部を制御してすぐ次のページ又は増加ページ数に対応した次のページの表示をキャンセルすることを特徴とする請求項９に記載の電子書籍ページめくり装置。
【請求項１１】
前記電子書籍ビューアは、
加速度センサーを用いて前記携帯用端末機の左側面から基準値以上の加速度値が検出されるか、又は３軸センサーを用いて右方向へ基準値以上の傾き値が検出されると、前記表示部を制御してすぐ次のページ又は増加ページ数に対応した次のページの表示をキャンセルすることを特徴とする請求項９に記載の電子書籍ページめくり装置。
【請求項１２】
前記電子書籍ビューアは、
前記左ＵＩ作動領域でタッチダウン入力された状態からタッチアップ入力されると、前記表示部を制御して前記電子書籍の左側面の表示を消去して、すぐ次のページ又は増加ページ数に対応した次のページの表示を固定することを特徴とする請求項９に記載の電子書籍ページめくり装置。
【請求項１３】
前記電子書籍ビューアは、
前記電子書籍の所定の右ＵＩ作動領域でユーザ操作によりタッチダウン入力されると、前記表示部を制御して前記電子書籍の右側面を表示し、
前記電子書籍の所定のＵＩ作動領域でタッチダウン入力され、該左ＵＩ作動領域でタッチダウン入力された状態から右方向へドラッグ及びタッチアップ入力されると、前記表示部を制御してすぐ前のページ又は減少ページ数に対応した前のページを表示し、
前記右ＵＩ作動領域でタッチダウン入力された状態から左方向へドラッグ及びタッチアップ入力されると、前記表示部を制御してすぐ前のページ又は減少ページ数に対応した前のページの表示をキャンセルすることを特徴とする請求項９に記載の電子書籍ページめくり装置。
【請求項１４】
前記電子書籍ビューアは、
前記右ＵＩ作動領域でタッチダウン入力された状態で、該右ＵＩ作動領域で他のタッチダウン入力がなされ、該他のタッチダウン入力がその状態から左方向へドラッグ及びタッチアップ入力されると、前記表示部を制御してすぐ前のページ又は減少ページ数に対応した前のページの表示をキャンセルすることを特徴とする請求項１３に記載の電子書籍ページめくり装置。
【請求項１５】
加速度センサーを用いて前記携帯用端末機の右側面から基準値以上の加速度値が検出されるか、又は３軸センサーを用いて左方向に基準値以上の傾き値が検出されると、前記表示部を制御してすぐ前のページ又は減少ページ数に対応した前のページの表示をキャンセルすることを特徴とする請求項１３に記載の電子書籍ページめくり装置。
【請求項１６】
前記電子書籍ビューアは、
前記右ＵＩ作動領域でタッチダウン入力された状態からタッチアップ入力されると、前記表示部を制御して前記電子書籍の右側面の表示を消去して、すぐ前のページ又は減少ページ数に対応した前のページの表示を固定することを特徴とする請求項１３に記載の電子書籍ページめくり装置。
【発明の詳細な説明】
【技術分野】
【０００１】
本発明は、携帯用端末機に関し、より詳細には、電子書籍機能を有する携帯用端末機における電子書籍ページめくり装置及び方法に関する。
【背景技術】
【０００２】
携帯用端末機は携帯の便利さのために急速にその機能が拡張されており、サービス提供者（端末機製造者）は、多くのユーザを確保するために、より特別な機能を有する端末機を競争して開発している。例えば、携帯用端末機は、フォンブック（Ｐｈｏｎｅ  ｂｏｏｋ）、ゲーム（Ｇａｍｅ）、スケジューラ（Ｓｃｈｅｄｕｌｅｒ）、短文メッセージ（Ｓｈｏｒｔ  Ｍｅｓｓａｇｅ）、インターネット（Ｉｎｔｅｒｎｅｔ）、電子メール（ｅ−ｍａｉｌ）、アラーム（Ａｌａｒｍ）、ＭＰ３（ＭＰＥＧ  Ａｕｄｉｏ  Ｌａｙｅｒ−３）、デジタルカメラ（Ｄｉｇｉｔａｌ  Ｃａｍｅｒａ）、電子辞書、ｅ−ｂｏｏｋ（電子書籍）などの多様な機能を提供している。
【０００３】
最近、従来の紙の本を代替する情報提供媒体の一つとして電子的なディスプレイ方式でテキストコンテンツを表示する電子書籍が登場している。電子書籍は、テキストコンテンツをフラッシュメモリや内蔵されたハードディスクに格納した後、ディスプレイ画面を介して格納されたテキストコンテンツを表示する方式であり、大量の本の内容を一括して格納して置き、見たい内容を選択して見ることができる長所がある。
【０００４】
その際、ディスプレイ画面では限定された領域のコンテンツだけが表示可能であるため、コンテンツの次の内容を続けて表示することができるようにページ移動やスクロール機能を提供するユーザインターフェース（ＵＩ：Ｕｓｅｒ  Ｉｎｔｅｒｆａｃｅ）が備えられなければならない。一般的に、電子書籍に備えられるキー入力手段を用いたページダウン及びページアップ機能によりテキストコンテンツの内容を移動させながら画面に表示することができ、この方式によってユーザは電子書籍に格納されたテキストコンテンツの全体内容を読むことができる。
【０００５】
しかし、このキー操作を介してページをめくる方式のインターフェースは、最も基本的な形態の方向制御方式に過ぎず、ユーザが便利に使用することができるように人間工学的な観点から考案された方式ではないので、ユーザが自然にコンテンツのページを変更するのに不便な問題点がある。
【先行技術文献】
【特許文献】
【０００６】
【特許文献１】韓国特許出願公開第１０−２００２−００６３３８１号明細書
【発明の概要】
【発明が解決しようとする課題】
【０００７】
本発明は、上記従来の問題点に鑑みてなされたものであって、本発明の目的は、ユーザが実際の本をめくるようなアナログ的な感覚で自然にコンテンツのページを変更できる電子書籍機能を有する携帯用端末機における電子書籍ページめくり装置及び方法を提供することにある。
【課題を解決するための手段】
【０００８】
上記目的を達成するためになされた本発明の一態様による電子書籍機能を有する携帯用端末機における電子書籍ページめくり方法は、電子書籍機能を実行するステップと、前記電子書籍の所定の左ＵＩ作動領域でユーザ操作によりタッチダウン入力されると、前記電子書籍の左側面を表示するステップと、前記タッチダウン入力された状態で、前記電子書籍の所定の右ＵＩ作動領域でタッチダウン入力され、該右ＵＩ作動領域でタッチダウン入力された状態から左方向へドラッグ及びタッチアップ入力されると、すぐ次のページ又は増加ページ数に対応した次のページを表示するステップと、前記左ＵＩ作動領域でタッチダウン入力された状態から右方向へドラッグ及びタッチアップ入力されると、すぐ次のページ又は増加ページ数に対応した次のページの表示をキャンセルするステップと、を有することを特徴とする。
【０００９】
上記目的を達成するためになされた本発明の一態様による電子書籍機能を有する携帯用端末機における電子書籍ページめくり装置は、電子書籍ビューアと、前記電子書籍ビューアの制御によって電子書籍の該当ページを画面に表示する表示部と、を備え、前記電子書籍ビューアは、電子書籍機能を実行し、前記電子書籍の所定の左ＵＩ作動領域でユーザ操作によりタッチダウン入力されると、表示部を制御して前記電子書籍の左側面を表示し、前記タッチダウンが入力された状態で、前記電子書籍の所定の右ＵＩ作動領域でタッチダウン入力され、該右ＵＩ作動領域でタッチダウン入力された状態から左方向へドラッグ及びタッチアップ入力されると、前記表示部を制御してすぐ次のページ又は増加ページ数に対応した次のページを表示し、前記左ＵＩ作動領域でタッチダウン入力された状態から右方向へドラッグ及びタッチアップ入力されると、前記表示部を制御してすぐ次のページ又は増加ページ数に対応した次のページの表示をキャンセルすることを特徴とする。
【発明の効果】
【００１０】
本発明によれば、電子書籍機能を有する携帯用端末機における電子書籍のアナログ的なページめくりＵＩを提供することで、ユーザが機器使用法を習わなくても実際の本をめくっているような感覚で自然にコンテンツのページを変更できる効果がある。
【図面の簡単な説明】
【００１１】
【図１】本発明の一実施形態による電子書籍機能を有する携帯用端末機における装置構成を示すブロック図である。
【図２】本発明の第１実施例による電子書籍機能を有する携帯用端末機における電子書籍をアナログ的に１ページずつめくる方法を示す例示図である。
【図３】本発明の第１実施例による電子書籍機能を有する携帯用端末機における電子書籍をアナログ的に１ページずつめくる方法を示すフローチャートである。
【図４】本発明の第２実施例による電子書籍機能を有する携帯用端末機における電子書籍をアナログ的に複数ページずつめくる方法を示す例示図である。
【図５】本発明の第２実施例による電子書籍機能を有する携帯用端末機における電子書籍をアナログ的に複数ページずつめくる方法を示すフローチャートである。
【図６】本発明の第２実施例による電子書籍機能を有する携帯用端末機における電子書籍をアナログ的に複数ページずつめくる方法を示すフローチャートである。
【図７】本発明の第３実施例による電子書籍機能を有する携帯用端末機における電子書籍にブックマークを支援するための方法を示す例示図である。
【図８】本発明の第３実施例による電子書籍機能を有する携帯用端末機における電子書籍にブックマークを支援するための方法を示すフローチャートである。
【図９】本発明の第３実施例による電子書籍機能を有する携帯用端末機における電子書籍にブックマークを支援するための方法を示すフローチャートである。
【図１０】本発明の第４実施例による電子書籍機能を有する携帯用端末機における電子書籍を、２タッチを用いてアナログ的にめくる方法を示す例示図である。
【図１１】本発明の第４実施例による電子書籍機能を有する携帯用端末機における電子書籍を、２タッチを用いてアナログ的にめくる方法を示す例示図である。
【図１２】本発明の第４実施例による電子書籍機能を有する携帯用端末機における電子書籍を、２タッチを用いてアナログ的にめくる方法を示すフローチャートである。
【図１３】本発明の第４実施例による電子書籍機能を有する携帯用端末機における電子書籍を、２タッチを用いてアナログ的にめくる方法を示すフローチャートである。
【発明を実施するための形態】
【００１２】
以下、本発明の電子書籍機能を有する携帯用端末機における電子書籍ページめくり装置及び方法を実施するための形態の具体例を、図面を参照しながら詳細に説明する。下記で本発明を説明する際に、公知機能又は構成に対する具体的な説明が本発明の要旨を不明確にするおそれがあると判断される場合にはその詳しい説明を省略する。そして後述する用語は、本発明における機能を考慮して定義された用語として、ユーザ、運用者の意図又は慣例などによって異なることがあるため、その定義は本明細書の全般に亘る内容を基に定められなければならない。
【００１３】
以下、本発明は、電子書籍機能を有する携帯用端末機における電子書籍のアナログ的なページめくり方案について説明する。
【００１４】
以下の説明では、携帯用端末機は、タッチパネルを具備する携帯電話（Ｃｅｌｌｕｌａｒ  ｐｈｏｎｅ）、パーソナルコミュニケーションシステム（Ｐｅｒｓｏｎａｌ  Ｃｏｍｍｕｎｉｃａｔｉｏｎ  Ｓｙｓｔｅｍ：ＰＣＳ）、パーソナルデータアシスタント（Ｐｅｒｓｏｎａｌ  Ｄａｔａ  Ａｓｓｉｓｔａｎｔ：ＰＤＡ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機などを全て含み、以下の説明は上記例の一般的な構成を有しているものとして説明する。
【００１５】
図１は、本発明の一実施形態による電子書籍機能を有する携帯用端末機の装置構成を示す構成図である。
【００１６】
図示するように、携帯用端末機は、制御部１００、メモリ１０２、入力部１０４、表示部１０６、電子書籍ビューア１０８、及び通信部１１０を含んで構成される。
【００１７】
図１を参照すると、制御部１００は、携帯用端末機における全般的な動作を制御し、本発明によるアナログ的な電子書籍ページめくり機能を処理する。
【００１８】
メモリ１０２は、制御部１００の処理及び制御のためのプログラムのマイクロコードと各種参照データ、各種プログラム実行中に発生する一時的なデータ、更新可能な各種保存用データを格納する。特に、本発明によるアナログ的な電子書籍ページめくりのためのプログラムを格納する。
【００１９】
入力部１０４は、数字キーボタンと複数の機能キーボタンを具備し、ユーザが押すキーボタンに対応するキーボタン入力データを制御部１００に提供する。
【００２０】
表示部１０６は、携帯用端末機の動作中に発生する状態情報、制限された数字のテキスト、多量の動画及び画像などをディスプレイする。通常的な機能に加えて表示部１０６はタッチパネルの形態に形成されて入力部１０４の機能を遂行する。即ち、ユーザのタッチ入力を感知して制御部１００に送信する。
【００２１】
電子書籍ビューア１０８は、ユーザが実際の本をめくっているような感覚で自然にコンテンツのページを変更できるようにアナログ的に電子書籍を１ページずつ或いは複数ページずつめくる役割を果たす。また、電子書籍ビューア１０８は、電子書籍にブックマークを支援する。
【００２２】
通信部１１０は、アンテナを介して入出力される無線信号を送受信処理する機能を遂行する。例えば、送信の場合、送信するデータをチャンネルコーディング（ｃｈａｎｎｅｌ  ｃｏｄｉｎｇ）及び拡散（ｓｐｒｅａｄｉｎｇ）した後、ＲＦ（Ｒａｄｉｏ  Ｆｒｅｑｕｅｎｃｙ）処理して送信する機能を遂行し、受信の場合、受信したＲＦ信号を逆拡散（ｄｅｓｐｒｅａｄｉｎｇ）及びチャンネル復号（ｃｈａｎｎｅｌ  ｄｅｃｏｄｉｎｇ）してデータを復元する機能を遂行する。
【００２３】
図２は、本発明の第１実施例による電子書籍機能を有する携帯用端末機における電子書籍をアナログ的に１ページずつめくる方法を示す例示図である。
【００２４】
図２を参照すると、端末は電子書籍機能を実行し、ユーザ操作により選択された電子書籍の予め設定されたページを画面に表示する。この際、画面の右の一部領域は右ＵＩ作動領域として区分され、画面の左の一部領域は左ＵＩ作動領域として区分される。ここで、右ＵＩ作動領域と左ＵＩ作動領域は該当端末に合わせて予め設定される。なお、電子書籍機能の実行とは、電子書籍機能を実現するためのアプリケーションプログラムの実行によりその機能を活性化することを意味する。
【００２５】
図２（Ａ）のように、電子書籍の予め決定された（所定の）右ＵＩ作動領域より左側でタッチダウン入力され、タッチダウン入力された状態から右方向へドラッグ及びタッチアップ入力されると、端末はすぐ前のページを画面に表示する。また、図２（Ｂ）のように、電子書籍の予め決定された（所定の）左ＵＩ作動領域より右側でタッチダウン入力され、タッチダウン入力された状態から左方向へドラッグ及びタッチアップ入力されると、端末はすぐ次のページを画面に表示する。ここで、タッチダウン入力とは、ユーザがタッチパネルに指等を触れることで発生する入力イベントを意味し、タッチアップ入力とは、ユーザがタッチパネルから指等を離すことで発生する入力イベントを意味し、ドラッグとは、タッチパネルに指等を触れたまま移動させることを意味する。
【００２６】
図３は、本発明の第１実施例による電子書籍機能を有する携帯用端末機における電子書籍をアナログ的に１ページずつめくる方法を示すフローチャートである。
【００２７】
図３を参照すると、端末はステップ３０１でユーザのキー操作に応じて電子書籍機能の実行要請感知の有無を検査する。
【００２８】
ステップ３０１で電子書籍機能の実行要請が感知されると、端末はステップ３０３で電子書籍機能を実行し、電子書籍機能の設定情報に応じて、ユーザにより選択された電子書籍の予め設定されたページを表示する。例えば、電子書籍機能の設定情報としては、電子書籍機能の実行の際、該当電子書籍の最初のページから表示してもよく、或いは該当電子書籍に対して以前に最後に表示されたページから表示するように予め設定されてもよい。
【００２９】
次に、端末はステップ３０５で電子書籍の所定の右ＵＩ作動領域より左でタッチダウン入力され、タッチダウン入力された状態から右方向へのドラッグ及びタッチアップ入力の有無を検査する。
【００３０】
ステップ３０５で、電子書籍の所定の右ＵＩ作動領域より左でタッチダウン入力され、タッチダウン入力された状態から右方向へドラッグ及びタッチアップ入力されたと判断されると、端末はステップ３０７ですぐ前のページを画面に表示する。
【００３１】
一方、ステップ３０５で、電子書籍の所定の右ＵＩ作動領域より左でタッチダウン入力され、タッチダウン入力された状態から右方向へのドラッグ及びタッチアップ入力が無いと判断された場合、端末はステップ３０９で電子書籍の所定の左ＵＩ作動領域より右でタッチダウン入力され、タッチダウン入力された状態から左方向へのドラッグ及びタッチアップ入力の有無を検査する。
【００３２】
ステップ３０９で、電子書籍の所定の左ＵＩ作動領域より右でタッチダウン入力され、タッチダウン入力された状態から左方向へドラッグ及びタッチアップ入力されたと判断されると、端末はステップ３１１ですぐ次のページを画面に表示する。
【００３３】
一方、ステップ３０９で、電子書籍の所定の左ＵＩ作動領域より右でタッチダウン入力され、タッチダウン入力された状態から左方向へのドラッグ及びタッチアップ入力が無いと判断された場合、端末はステップ３０５に戻って以降のステップを繰り返し行う。
【００３４】
最後に、端末は本発明によるアルゴリズムを終了する。
【００３５】
図４は、本発明の第２実施例による電子書籍機能を有する携帯用端末機における電子書籍をアナログ的に複数ページずつめくる方法を示す例示図である。
【００３６】
図４を参照すると、端末は電子書籍機能を実行し、ユーザ操作により選択された電子書籍の予め設定されたページを画面に表示する。この際、画面の右の一部領域は右ＵＩ作動領域として区分され、画面の左の一部領域は左ＵＩ作動領域として区分される。ここで、右ＵＩ作動領域と左ＵＩ作動領域は該当端末に合わせて予め設定される。
【００３７】
電子書籍の所定の右ＵＩ作動領域でタッチダウン入力されると、端末は電子書籍の右側面を表示する。この際、図４（Ａ）のように、タッチダウン入力された状態から左方向へドラッグ及びタッチアップ入力されると、端末はすぐ次のページを画面に表示する。一方、図４（Ｂ）のように、タッチダウン入力された状態から右方向へドラッグ入力されると、端末は電子書籍の右側面にドラッグした移動量に応じて増加したページ数を表示し、ドラッグ入力された状態から左方向へドラッグ及びタッチアップ入力されると、増加ページ数に対応した次のページを表示する。
【００３８】
図示していないが、電子書籍の所定の左ＵＩ作動領域でタッチダウン入力されると、端末は電子書籍の左側面を表示する。この際、タッチダウン入力された状態から右方向へドラッグ及びタッチアップ入力されると、端末はすぐ前のページを画面に表示する。一方、タッチダウン入力された状態から左方向へドラッグ入力されると、端末は電子書籍の左側面にドラッグした移動量に応じて減少したページ数を表示し、ドラッグ入力された状態から右方向へドラッグ及びタッチアップ入力されると、減少ページ数に対応した前のページを表示する。
【００３９】
図５及び図６は、本発明の第２実施例による電子書籍機能を有する携帯用端末機における電子書籍をアナログ的に複数ページずつめくる方法を示すフローチャートである。
【００４０】
図５及び図６を参照すると、端末はステップ５０１でユーザのキー操作に応じて電子書籍機能の実行要請感知の有無を検査する。
【００４１】
図５のステップ５０１で電子書籍機能の実行要請が感知されると、端末はステップ５０３で電子書籍機能を実行し、電子書籍機能の設定情報に応じて、ユーザにより選択された電子書籍の予め設定されたページを表示する。例えば、電子書籍機能の設定情報としては、電子書籍機能の実行の際、該当電子書籍の最初のページから表示してもよく、或いは該当電子書籍に対して以前に最後に表示されたページから表示するように予め設定されてもよい。
【００４２】
次に、端末はステップ５０５で電子書籍の所定の右ＵＩ作動領域でタッチダウン入力の有無を検査する。
【００４３】
ステップ５０５で、電子書籍の所定の右ＵＩ作動領域でタッチダウン入力されたと判断されると、端末はステップ５０７で電子書籍の右側面を表示し、ステップ５０９に進む。
【００４４】
次に、端末はステップ５０９でタッチダウン入力された状態から左方向へのドラッグ及びタッチアップ入力の有無を検査する。
【００４５】
ステップ５０９で、タッチダウン入力された状態から左方向へドラッグ及びタッチアップ入力されたと判断されると、端末はステップ５１１ですぐ次のページを画面に表示する。
【００４６】
一方、ステップ５０９で、タッチダウン入力された状態から左方向へのドラッグ及びタッチアップ入力が無いと判断された場合、端末はステップ５１３でタッチダウン入力された状態から右方向へのドラッグの入力の有無を検査する。
【００４７】
ステップ５１３で、タッチダウン入力された状態から右方向へドラッグ入力されたと判断されると、端末はステップ５１５で電子書籍の右側面にドラッグした移動量に応じて増加したページ数を表示した後、ステップ５１７に進む。ここで、右側面に表示されるページ数はドラッグの移動速度に応じて加速されて増加する。
【００４８】
次に、端末はステップ５１７でタッチダウン入力された状態から左方向へのドラッグ及びタッチアップの入力の有無を検査する。
【００４９】
ステップ５１７で、タッチダウン入力された状態から左方向へドラッグ及びタッチアップ入力されたと判断されると、端末はステップ５１９で増加ページ数に対応した次のページを表示する。
【００５０】
一方、ステップ５１７で、タッチダウン入力された状態から左方向へのドラッグ及びタッチアップ入力が無いと判断された場合、端末はステップ５１８でタッチダウン入力された状態から引き続き右方向へのドラッグ入力の有無を検査する。
【００５１】
ステップ５１８で、タッチダウン入力された状態から引き続き右方向へドラッグ入力されたと判断されると、端末はステップ５１５に戻って以降のステップを繰り返し行う。
【００５２】
一方、ステップ５１８で、タッチダウン入力された状態から右方向へのドラッグ入力が無いと判断された場合、端末は本発明によるアルゴリズムを終了する。例えば、タッチダウン入力された状態から左方向又は右方向へのドラッグ入力が無く、タッチアップ入力されると、端末は本発明によるアルゴリズムを終了する。
【００５３】
一方、ステップ５１３で、タッチダウン入力された状態から右方向へのドラッグ入力が無いと判断された場合、端末はステップ５０９に戻って以降のステップを繰り返し行う。
【００５４】
一方、ステップ５０５で、電子書籍の所定の右ＵＩ作動領域でタッチダウン入力が無いと判断された場合、端末は図６のステップ５２１に進み、電子書籍の所定の左ＵＩ作動領域でタッチダウン入力の有無を検査する。
【００５５】
図６のステップ５２１で、電子書籍の所定の左ＵＩ作動領域でタッチダウン入力されたと判断されると、端末はステップ５２３で電子書籍の左側面を表示し、ステップ５２３に進む。
【００５６】
次に、端末はステップ５２５でタッチダウン入力された状態から右方向へのドラッグ及びタッチアップ入力の有無を検査する。
【００５７】
ステップ５２５で、タッチダウンが入力された状態から右方向へドラッグ及びタッチアップ入力されたと判断されると、端末はステップ５２７ですぐ前のページを画面に表示する。
【００５８】
一方、ステップ５２５で、タッチダウン入力された状態から右方向へのドラッグ及びタッチアップ入力が無いと判断された場合、端末はステップ５２９でタッチダウン入力された状態から左方向へのドラッグの入力の有無を検査する。
【００５９】
ステップ５２９で、タッチダウン入力された状態から左方向へドラッグ入力されたと判断されると、端末はステップ５３１で電子書籍の左側面にドラッグした移動量に応じて減少したページ数を表示した後、ステップ５３３に進む。ここで、左側面に表示されるページ数はドラッグの移動速度に応じて加速されて減少する。
【００６０】
次に、端末はステップ５３３でタッチダウン入力された状態から右方向へのドラッグ及びタッチアップ入力の有無を検査する。
【００６１】
ステップ５３３で、タッチダウン入力された状態から右方向へドラッグ及びタッチアップ入力されたと判断されると、端末はステップ５３５で減少ページ数に対応した前のページを表示する。
【００６２】
一方、ステップ５３３で、タッチダウン入力された状態から右方向へのドラッグ及びタッチアップ入力が無いと判断された場合、端末はステップ５３４でタッチダウン入力された状態から引き続き左方向へのドラッグ入力の有無を検査する。
【００６３】
ステップ５３４で、タッチダウン入力された状態から引き続き左方向へドラッグ入力されたと判断されると、端末はステップ５３１に戻って以降のステップを繰り返し行う。
【００６４】
一方、ステップ５３４で、タッチダウン入力された状態から左方向へのドラッグ入力が無いと判断された場合、端末は本発明によるアルゴリズムを終了する。例えば、タッチダウン入力された状態から左方向又は右方向へのドラッグ入力が無く、タッチアップ入力されると、端末は本発明によるアルゴリズムを終了する。
【００６５】
一方、ステップ５２９で、タッチダウン入力された状態から左方向へのドラッグ入力が無いと判断された場合、端末はステップ５２５に戻って以降のステップを繰り返し行う。
【００６６】
一方、ステップ５２１で、電子書籍の所定の左ＵＩ作動領域でタッチダウン入力が無いと判断された場合、端末は図５のステップ５０５に戻って以降のステップを繰り返し行う。
【００６７】
図７は、本発明の第３実施例による電子書籍機能を有する携帯用端末機における電子書籍にブックマークを支援するための方法を示す例示図である。
【００６８】
図７を参照すると、端末は、電子書籍機能を実行し、ユーザ操作により選択された電子書籍の予め設定されたページを画面に表示した後、ブックマークオン（Ｏｎ）／オフ（Ｏｆｆ）スイッチのタッチ入力によりブックマーク機能を活性化／非活性化する。この際、画面の一部領域は上方ＵＩ作動領域として区分され、上方ＵＩ作動領域は該当端末に合わせて予め設定される。電子書籍の予め決定された（所定の）上方ＵＩ作動領域の左には、ブックマーク機能の活性化／非活性化のためのブックマークオン（Ｏｎ）／オフ（Ｏｆｆ）スイッチが位置し、例えばこれはクリップ模様で表示されてもよい。また、電子書籍の所定の上方ＵＩ作動領域の右には、クリップに対応するブックマークページに移動する前の位置を自動格納するためのメニューが位置し、例えばこれは矢印模様で表示されてもよい。
【００６９】
図７（Ａ）のように、電子書籍の所定の上方ＵＩ作動領域でタッチダウン入力され、タッチダウン入力された状態から下方へドラッグ入力されると、端末はブックマークの追加が要求されたと判断して、追加するブックマークに対応するクリップを生成する。ここで、クリップの位置は、ドラッグ入力されてタッチアップ入力される前までのドラッグ方向に応じて移動することができる。次に、ドラッグ入力されてタッチアップ入力されると、端末はタッチアップ入力された位置に生成されたクリップを固定する。ここで、生成されたクリップの模様、色などは予め設定された情報に応じて設定されてもよい。他の方法として、タッチアップ入力された位置に生成されたクリップを固定すると共に、ポップアップウィンドウを介して入力ウィンドウを表示し、ユーザ操作により生成されたクリップ模様、色などの情報の入力を受け、入力された情報に応じて生成されたクリップの模様、色などを変更してもよい。
【００７０】
図７（Ｂ）のように、既に追加されたブックマークに対応するクリップに対してタッチダウン入力されると、端末は該当ブックマークページを表示し、ブックマークページが表示された既に追加されたブックマークに対応するクリップに対するロング（ｌｏｎｇ）タッチが感知されると、端末は既に追加されたブックマークに対する情報表示が要求されたと判断して、ポップアップウィンドウを介して該当ブックマークに対する情報を表示する。ここで、ロングタッチは例えば１〜２秒間の持続的なタッチを意味し、ブックマークに対する情報には、該当ブックマークの生成日付、生成時間、ブックマークページなどの情報が含まれてもよい。更に、ポップアップウィンドウには、該当ブックマークに対する情報のみならず、メモ作成のためのメモメニューと該当ブックマークの位置変更のための移動メニューを表示してもよい。この場合、ユーザ操作によりメモメニューが選択されるとメモウィンドウを表示して該当ブックマークに対するメモ内容の入力を受け、ユーザ操作により移動メニューが選択されるとブックマークの位置変更モードを実行して該当ブックマークに対応するクリップの変更位置の入力を受けてもよい。
【００７１】
図示していないが、既に追加されたブックマークに対応するクリップに対してタッチダウン入力されると、端末は該当ブックマークページを表示し、ブックマークページが表示された既に追加されたブックマークに対応するクリップに対してタッチダウン入力された状態から左方向又は右方向へドラッグ及びタッチアップ入力されると、端末は既に追加されたブックマークに対応するブックマークページへの移動が要求されたと判断して、該当ブックマークページに移動する。
【００７２】
図示していないが、既に追加されたブックマークに対応するクリップに対してタッチダウン入力され、タッチダウン入力された状態から上方向へドラッグ及びタッチアップ入力されると、端末は既に追加されたブックマークの消去が要求されたと判断して、該当ブックマークに対応するクリップを削除する。
【００７３】
図８及び図９は、本発明の第３実施例による電子書籍機能を有する携帯用端末機における電子書籍にブックマークを支援するための方法を示すフローチャートである。
【００７４】
図８及び図９を参照すると、端末はステップ７０１でユーザのキー操作に応じて電子書籍機能の実行要請感知の有無を検査する。
【００７５】
図８のステップ７０１で電子書籍機能の実行要請が感知されると、端末はステップ７０３で電子書籍機能を実行し、電子書籍機能の設定情報に応じて、ユーザにより選択された電子書籍の予め設定されたページを表示する。例えば、電子書籍機能の設定情報としては、電子書籍機能の実行の際、該当電子書籍の最初のページから表示してもよく、或いは該当電子書籍に対して以前に最後に表示されたページから表示するように予め設定されてもよい。
【００７６】
次に、端末はステップ７０５でブックマークオン（Ｏｎ）スイッチのタッチ（即ち、タッチダウンの後のタッチアップ）の有無を検査する。ここで、ブックマークオンスイッチは、例えば電子書籍の所定の上方ＵＩ作動領域で左に位置してもよく、クリップ模様で表示されてもよい。他の実施例として、ブックマークオンスイッチは、ブックマークオンスイッチの機能とブックマークオフ（Ｏｆｆ）スイッチの機能との両方を行う一つのスイッチで具現してもよい。この場合、ブックマークオフ状態からスイッチをタッチするとブックマークオン状態に遷移してブックマーク機能が活性化され、ブックマークオン状態からスイッチをタッチするとブックマークオフ状態に遷移してブックマーク機能が非活性化される。
【００７７】
ステップ７０５で、ブックマークオンスイッチがタッチされたと判断されると、端末はステップ７０７でブックマーク機能を活性化した後、ステップ７０９に進む。
【００７８】
次に、端末はステップ７０９で電子書籍の所定の上方ＵＩ作動領域でタッチダウン入力され、タッチダウン入力された状態から下方向へのドラッグ入力の有無を検査する。
【００７９】
ステップ７０９で、電子書籍の所定の上方ＵＩ作動領域でタッチダウン入力され、タッチダウン入力された状態から下方向へドラッグ入力されたと判断されると、端末はブックマークの追加が要求されたと判断してステップ７１１で追加するブックマークに対応するクリップを生成して、ステップ７１３に進む。ここで、クリップの位置は、ドラッグ入力された状態からタッチアップ入力される直前までドラッグ方向に対応して移動するようにしてもよい。
【００８０】
次に、端末はステップ７１３でドラッグ入力された状態からタッチアップ入力の有無を検査する。
【００８１】
ステップ７１３で、ドラッグ入力された状態からタッチアップ入力されたと判断されると、端末はステップ７１５でタッチアップ入力された位置に生成されたクリップを固定して本発明によるアルゴリズムを終了する。ここで、生成されたクリップの模様、色などは予め設定された情報に応じて設定されてもよい。他の方法として、タッチアップ入力された位置に生成されたクリップを固定すると共に、ポップアップウィンドウを介して入力ウィンドウを表示し、ユーザ操作により生成されたクリップ模様、色などの情報の入力を受け、入力された情報に応じて生成されたクリップの模様、色などを変更してもよい。
【００８２】
一方、ステップ７０９で、電子書籍の所定の上方ＵＩ作動領域でタッチダウン入力され、タッチダウン入力された状態から下方向へのドラッグ入力が無いと判断された場合、端末は図９のステップ７１７で既に追加されたブックマークに対応するクリップに対してタッチダウン入力の有無を検査する。
【００８３】
図９のステップ７１７で、既に追加されたブックマークに対応するクリップに対してタッチダウン入力されたと判断されると、端末はステップ７１８で該当ブックマークページを表示して、ステップ７１９に進む。
【００８４】
次に、端末はステップ７１９でブックマークページが表示された既に追加されたブックマークに対応するクリップに対してロング（ｌｏｎｇ）タッチの感知の有無を検査する。ここで、ロングタッチは例えば１〜２秒間の持続的なタッチを意味する。
【００８５】
ステップ７１９で、ブックマークが表示された既に追加されたブックマークに対応するクリップに対してロングタッチが感知されると、端末はブックマークページが表示された既に追加されたブックマークに対する情報表示が要求されたと判断し、ステップ７２０でポップアップウィンドウを介して該当ブックマークに対する情報を表示し、本発明によるアルゴリズムを終了する。ここで、ブックマークに対する情報には、該当ブックマークの生成日付、生成時間、ブックマークページなどの情報が含まれてもよい。更に、ポップアップウィンドウには該当ブックマークに対する情報のみならず、メモ作成のためのメモメニューと該当ブックマークの位置変更のための移動メニューを表示してもよい。この場合、ユーザ操作によりメモメニューが選択されるとメモウィンドウを表示して該当ブックマークに対するメモ内容の入力を受け、ユーザ操作により移動メニューが選択されるとブックマークの位置変更モードを実行して該当ブックマークに対応するクリップの変更位置の入力を受けてもよい。
【００８６】
一方、ステップ７１９で、ブックマークページが表示された既に追加されたブックマークに対応するクリップに対してロングタッチの感知が無い場合、端末はステップ７２１でタッチダウンが入力された状態から左方向又は右方向へのドラッグ及びタッチアップ入力の有無を検査する。
【００８７】
ステップ７２１で、タッチダウン入力された状態から左方向又は右方向へドラッグ及びタッチアップ入力されたと判断されると、端末はブックマークページが表示された既に追加されたブックマークページへの移動が要求されたと判断してステップ７２２で該当ブックマークページに移動して本発明によるアルゴリズムを終了する。
【００８８】
一方、ステップ７２１で、タッチダウン入力された状態から左方向又は右方向へのドラッグ及びタッチアップ入力が無いと判断された場合、端末はステップ７２３でタッチダウン入力された状態からタッチアップ入力の有無を検査する。
【００８９】
ステップ７２３で、タッチダウン入力された状態からタッチアップ入力されたと判断されると、端末は本発明によるアルゴリズムを終了する。
【００９０】
一方、ステップ７２３で、タッチダウンが入力された状態からタッチアップ入力が無いと判断された場合、端末はステップ７１９に戻って以降のステップを繰り返し行う。
【００９１】
一方、ステップ７１７で、既に追加されたブックマークに対応するクリップに対してタッチダウン入力が無いと判断された場合、端末はステップ７２５で既に追加されたブックマークに対応するクリップに対してタッチダウン入力され、タッチダウン入力された状態から上方向へ（例えば、上方向の最後まで）のドラッグ及びタッチアップ入力の有無を検査する。
【００９２】
ステップ７２５で、既に追加されたブックマークに対応するクリップに対してタッチダウン入力され、タッチダウン入力された状態から上方向へドラッグ及びタッチアップ入力されたと判断されると、端末は既に追加されたブックマークの消去の要求が有ったと判断してステップ７２７で該当ブックマークに対応するクリップを削除し、本発明によるアルゴリズムを終了する。
【００９３】
一方、ステップ７２５で、既に追加されたブックマークに対応するクリップに対してタッチダウン入力され、タッチダウン入力された状態から上方向へのドラッグ及びタッチアップ入力が無いと判断された場合、端末は図８のステップ７０９に戻って以降のステップを繰り返し行う。
【００９４】
図１０及び図１１は、本発明の第４実施例による電子書籍機能を有する携帯用端末機における電子書籍を、２タッチを用いてアナログ的にめくる方法を示す例示図である。
【００９５】
図１０及び図１１を参照すると、端末は電子書籍機能を実行し、ユーザ操作により選択された電子書籍の予め設定されたページを画面に表示する。この際、画面の右の一部領域は右ＵＩ作動領域として区分され、画面の左の一部領域は左ＵＩ作動領域として区分される。ここで、右ＵＩ作動領域と左ＵＩ作動領域は該当端末に合わせて予め設定される。
【００９６】
電子書籍の所定の左ＵＩ作動領域でタッチダウン入力されると、端末は、図１０（Ａ）のように、電子書籍の左側面を表示する。次に電子書籍の所定の右ＵＩ作動領域でタッチダウン入力されると、図１０（Ｂ）のように、端末は電子書籍の右側面を表示し、右ＵＩ作動領域でタッチダウン入力された状態から左方向へドラッグ及びタッチアップ入力されると、すぐ次のページ又は増加ページ数に対応した次のページを表示する。或いは他の方法として、携帯用端末機に備えられた３軸センサー、加速度センサー（図示せず）を用いてすぐ次のページ又は増加ページ数に対応した次のページを表示してもよい。
【００９７】
ここで、図１１（Ａ）のように、左ＵＩ作動領域でタッチダウン入力された状態から右方向へドラッグ及びタッチアップ入力されると、端末は、すぐ次のページ又は増加ページ数に対応した次のページ表示をキャンセルして、すぐ次のページ表示以前のページ又は増加ページ数に対応した次のページ表示以前のページに戻る。或いは他の方法として、図１１（Ｂ）のように、左ＵＩ作動領域でタッチダウン入力された状態で、左ＵＩ作動領域で他のタッチダウン入力がなされ、他のタッチダウン入力がその状態から右方向へドラッグ及びタッチアップ入力されると、端末は、すぐ次のページ又は増加ページ数に対応した次のページ表示をキャンセルして、すぐ次のページ表示以前のページ又は増加ページ数に対応した次のページ表示以前のページに戻ってもよい。或いは更に他の方法として、携帯用端末機に備えられた加速度センサーを用いて携帯用端末機（又は画面）の左側面で基準値以上の加速度値が検出されるか、３軸センサーを用いて右方向に基準値以上の傾き値が検出されると、端末は、すぐ次のページ又は増加ページ数に対応した次のページ表示をキャンセルして、すぐ次のページ表示以前のページ又は増加ページ数に対応した次のページ表示以前のページに戻ってもよい。或いは、図示していないが、左ＵＩ作動領域でタッチダウン入力された状態からタッチアップ入力されると、端末は電子書籍の左側面の表示を消去して、すぐ次のページ又は増加ページ数に対応した次のページ表示を固定してもよい。
【００９８】
一方、図示していないが、電子書籍の所定の右ＵＩ作動領域でタッチダウン入力されると、端末は電子書籍の右側面を表示する。次に電子書籍の所定の左ＵＩ作動領域でタッチダウン入力されると、端末は電子書籍の左側面を表示し、左ＵＩ作動領域でタッチダウン入力された状態から右方向へドラッグ及びタッチアップ入力されると、すぐ前のページ又は減少ページ数に対応した前のページを表示する。或いは他の方法として、携帯用端末機に備えられた３軸センサー、加速度センサーを用いてすぐ前のページ又は減少ページ数に対応した前のページを表示してもよい。
【００９９】
同様に、ここで、右ＵＩ作動領域でタッチダウン入力された状態から左方向へドラッグ及びタッチアップ入力されると、端末は、すぐ前のページ又は減少ページ数に対応した前のページ表示をキャンセルして、すぐ前のページ表示以前のページ又は減少ページ数に対応した前のページ表示以前のページに戻る。或いは他の方法として、右ＵＩ作動領域でタッチダウン入力された状態で、右ＵＩ作動領域で他のタッチダウン入力がなされ、他のタッチダウン入力がその状態から左方向へドラッグ及びタッチアップ入力されると、端末は、すぐ前のページ又は減少ページ数に対応した前のページ表示をキャンセルして、すぐ前のページ表示以前のページ又は減少ページ数に対応した前のページ表示以前のページに戻ってもよい。或いは更に他の方法として、携帯用端末機に備えられた加速度センサーを用いて携帯用端末機（又は画面）の右側面で基準値以上の加速度値が検出されるか、３軸センサーを用いて左方向に基準値以上の傾き値が検出されると、端末は、すぐ前のページ又は減少ページ数に対応した前のページ表示をキャンセルして、すぐ前のページ表示以前のページ又は減少ページ数に対応した前のページ表示以前のページに戻ってもよい。或いは、図示していないが、右ＵＩ作動領域でタッチダウン入力された状態からタッチアップ入力されると、端末は電子書籍の右側面の表示を消去して、すぐ前のページ又は減少ページ数に対応した前のページ表示を固定してもよい。
【０１００】
図１２及び図１３は、本発明の第４実施例による電子書籍機能を有する携帯用端末機における電子書籍を、２タッチを用いてアナログ的にめくる方法を示すフローチャートである。
【０１０１】
図１２及び図１３を参照すると、端末はステップ１００１でユーザのキー操作に応じて電子書籍機能の実行要請感知の有無を検査する。
【０１０２】
ステップ１００１で電子書籍機能の実行要請が感知されると、端末はステップ１００３で電子書籍機能を実行し、電子書籍機能の設定情報に応じて、ユーザ操作により選択された電子書籍の予め設定されたページを表示する。例えば、電子書籍機能の設定情報としては、電子書籍機能の実行の際、該当電子書籍の最初のページから表示してもよく、或いは該当電子書籍に対して以前に最後に表示されたページから表示するように予め設定されてもよい。
【０１０３】
次に、端末はステップ１００５で電子書籍の所定の左ＵＩ作動領域でタッチダウン入力の有無を検査する。
【０１０４】
ステップ１００５で、電子書籍の所定の左ＵＩ作動領域でタッチダウン入力されたと判断されると、端末はステップ１００７で電子書籍の左側面を表示した後、ステップ１００９に進む。
【０１０５】
次に、端末はステップ１００９で電子書籍の所定の右ＵＩ作動領域でタッチダウン入力の有無を検査する。
【０１０６】
ステップ１００９で、電子書籍の所定の右ＵＩ作動領域でタッチダウン入力されたと判断されると、端末はステップ１０１１で電子書籍の右側面を表示して、ステップ１０１３に進む。
【０１０７】
次に、ステップ１０１３で、端末は右ＵＩ作動領域でタッチダウン入力された状態から左方向へのドラッグ及びタッチアップ入力を感知してすぐ次のページ又は増加ページ数に対応した次のページを表示する。例えば、右ＵＩ作動領域でタッチダウン入力された状態から左方向へのドラッグ及びタッチアップ入力の有無を検査し、入力が感知されると、すぐ次のページを画面に表示してもよい。また、右ＵＩ作動領域でタッチダウン入力された状態から右方向へのドラッグ入力の有無を検査し、入力が感知されると、電子書籍の右側面にドラッグした移動量に応じて増加したページ数を表示し、タッチダウン入力された状態から左方向へのドラッグ及びタッチアップ入力の有無を検査し、入力が感知されると、増加ページ数に対応した次のページを表示してもよい。或いは他の方法として、携帯用端末機に備えられた３軸センサー、加速度センサーを用いてすぐ次のページ又は増加ページ数に対応した次のページを表示してもよい。
【０１０８】
次に、図１３のステップ１０１４で、端末は左ＵＩ作動領域でタッチダウン入力された状態からタッチアップ入力の有無を検査する。
【０１０９】
ステップ１０１４で、左ＵＩ作動領域でタッチダウン入力された状態からタッチアップ入力されたと判断されると、端末はステップ１０１６で電子書籍の左側面の表示を消去して、すぐ次のページ又は増加ページ数に対応した次のページ表示を固定した後、本発明によるアルゴリズムを終了する。
【０１１０】
一方、ステップ１０１４で、左ＵＩ作動領域でタッチダウン入力された状態からタッチアップ入力が無いと判断された場合、ステップ１０１５で、端末は左ＵＩ作動領域でタッチダウン入力された状態から右方向へのドラッグ及びタッチアップ入力の有無を検査する。
【０１１１】
ステップ１０１５で、左ＵＩ作動領域でタッチダウン入力された状態から右方向へドラッグ及びタッチアップ入力されたと判断されると、端末はステップ１０１７ですぐ次のページ又は増加ページ数に対応した次のページ表示をキャンセルして、すぐ次のページ表示以前のページ又は増加ページ数に対応した次のページ表示以前のページに戻る。ここで、端末は音声、振動などを介してページの移動をユーザに知らせてもよい。
【０１１２】
一方、ステップ１０１５で、左ＵＩ作動領域でタッチダウン入力された状態から右方向へのドラッグ及びタッチアップ入力が無いと判断された場合、端末は図１２のステップ１００９に戻って以降のステップを繰り返し行う。
【０１１３】
一方、図１２のステップ１００５で、電子書籍の所定の左ＵＩ作動領域でタッチダウン入力が無いと判断された場合、端末は、ステップ１０１９で電子書籍の所定の右ＵＩ作動領域でタッチダウン入力の有無を検査する。
【０１１４】
ステップ１０１９で、電子書籍の所定の右ＵＩ作動領域でタッチダウン入力されたと判断されると、端末はステップ１０２１で電子書籍の右側面を表示した後、ステップ１０２３に進む。
【０１１５】
次に、端末はステップ１０２３で電子書籍の所定の左ＵＩ作動領域でタッチダウン入力の有無を検査する。
【０１１６】
ステップ１０２３で、電子書籍の所定の左ＵＩ作動領域でタッチダウン入力されたと判断されると、端末はステップ１０２５で電子書籍の左側面を表示して、ステップ１０２７に進む。
【０１１７】
次に、ステップ１０２７で、端末は左ＵＩ作動領域でタッチダウン入力された状態から右方向へのドラッグ及びタッチアップ入力を感知してすぐ前のページ又は減少ページ数に対応した前のページを表示する。例えば、左ＵＩ作動領域でタッチダウン入力された状態から右方向へのドラッグ及びタッチアップ入力の有無を検査し、入力が感知されると、すぐ前のページを画面に表示してもよい。また、左ＵＩ作動領域でタッチダウン入力された状態から左方向へのドラッグ入力の有無を検査し、入力が感知されると、電子書籍の左側面にドラッグした移動量に応じて減少したページ数を表示し、タッチダウン入力された状態から右方向へのドラッグ及びタッチアップ入力の有無を検査し、入力が感知されると、減少ページ数に対応した前のページを表示してもよい。或いは他の方法として、携帯用端末機に備えられた３軸センサー、加速度センサーを用いてすぐ前のページ又は減少ページ数に対応した前のページを表示してもよい。
【０１１８】
次に、図１３のステップ１０２８で、端末は右ＵＩ作動領域でタッチダウン入力された状態からタッチアップ入力の有無を検査する。
【０１１９】
ステップ１０２８で、右ＵＩ作動領域でタッチダウン入力された状態からタッチアップ入力されたと判断されると、端末はステップ１０３０で電子書籍の右側面の表示を消去して、すぐ前のページ又は減少ページ数に対応した前のページ表示を固定した後、本発明によるアルゴリズムを終了する。
【０１２０】
一方、ステップ１０２８で、右ＵＩ作動領域でタッチダウン入力された状態からタッチアップ入力が無いと判断された場合、ステップ１０２９で、端末は右ＵＩ作動領域でタッチダウン入力された状態から左方向へのドラッグ及びタッチアップ入力の有無を検査する。
【０１２１】
ステップ１０２９で、右ＵＩ作動領域でタッチダウン入力された状態から左方向へドラッグ及びタッチアップ入力されたと判断されると、端末はステップ１０３１ですぐ前のページ又は減少ページ数に対応した前のページ表示をキャンセルして、すぐ前のページ表示以前のページ又は減少ページ数に対応した前のページ表示以前のページに戻る。ここで、端末は音声、振動などを介してページの移動をユーザに知らせてもよい。
【０１２２】
一方、ステップ１０２９で、右ＵＩ作動領域でタッチダウン入力された状態から左方向へのドラッグ及びタッチアップ入力が無いと判断された場合、端末は図１２のステップ１０２３に戻って以降のステップを繰り返し行う。
【０１２３】
一方、図１２のステップ１０１９で、電子書籍の所定の右ＵＩ作動領域でタッチダウン入力が無いと判断された場合、端末はステップ１００５に戻って以降のステップを繰り返し行う。
【０１２４】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【０１２５】
１００    制御部
１０２    メモリ
１０４    入力部
１０６    表示部
１０８    電子書籍ビューア
１１０    通信部
【図１】
0005841791.tif 000002
【図２】
0005841791.tif 000003
【図３】
0005841791.tif 000004
【図４】
0005841791.tif 000005
【図５】
0005841791.tif 000006
【図６】
0005841791.tif 000007
【図７】
0005841791.tif 000008
【図８】
0005841791.tif 000009
【図９】
0005841791.tif 000010
【図１０】
0005841791.tif 000011
【図１１】
0005841791.tif 000012
【図１２】
0005841791.tif 000013
【図１３】
0005841791.tif 000014